(57)【要約】  【課題】  空気調和機において、制御部と被制御部品との間のリード線の接続を簡素化するとともに、制御要素をシンプルにした構造を提供すること。  【解決手段】  本体の一側に設けられ、マイコン２ｂを実装した制御部２ａと、他側に設けられ、前記制御部２ａにより制御される換気ファン駆動用モータ４ａと、中央に設けられ、前記制御部２ａにより制御されるＬＥＤ３ｃを実装した表示基板３ａとを備え、前記制御部２ａと前記表示基板３ａがリード線５によって接続され、前記表示基板３ａに前記換気ファン駆動用モータ４ａをリード線５によって接続し、前記表示基板３ａに前記換気ファン駆動用モータ４ａの回生電流を吸収するコンデンサ３ｂを設けるようにした。【選択図】  図４
2006194474.tif 000002
【特許請求の範囲】
【請求項１】
本体の一側に設けられ、マイコンを実装した制御部と、他側に設けられ、前記制御部ににより制御される被制御部品と、中央に設けられ、前記制御部により制御されるＬＥＤを実装した表示基板とを備えた空気調和機において、前記制御部と前記表示基板がリード線によって接続され、前記表示基板に前記被制御部品をリード線によって接続したことを特徴とする空気調和機。
【請求項２】
本体の側部に設けられ、マイコンを実装した制御部と、中央に設けられ、前記制御部により制御されるＬＥＤを実装した表示基板と、前記表示基板の近傍に設けられ、前記制御部により制御される被制御部品とを備えた空気調和機において、前記制御部と前記表示基板がリード線によって接続され、前記表示基板に前記被制御部品をリード線によって接続したことを特徴とする空気調和機。
【請求項３】
前記被制御部品と前記表示基板の電源線及び接地線について、前記制御部から前記表示基板までをコモン配線としたことを特徴とする請求項１または請求項２記載の空気調和機。
【請求項４】
前記被制御部品の駆動素子を、前記表示基板に配置したことを特徴とする請求項１乃至請求項３のいずれかに記載の空気調和機。
【請求項５】
前記被制御部品が交流モータ又は直流モータであり、その回生電流を吸収する電子部品を前記表示基板に配置したことを特徴とする請求項１乃至請求項４のいずれかに記載の空気調和機。
【発明の詳細な説明】
【技術分野】
【０００１】
本発明は空気調和機に関するものであり、より詳細には、制御部と被制御部品との間のリード線の接続を簡素化するとともに、制御要素をシンプルにした構造に関する。
【０００２】
近年、前記空気調和機は、室内換気、フィルタ清掃、音声案内などの多機能化が進み、前記被制御部品であるモータ、スピーカなどの部品取付けによってリード線が増えていることから、前記リード線のコストを低減することに加え、前記リード線による抵抗の増加に伴い、回生電流や電波雑音などの新たな障害を低減することが要望されている。
【背景技術】
【０００３】
この種の従来の空気調和機は、本体の一側に制御部と室内空気を循環させるための室内ファンとを設け、他側に室内空気を室外に排出するための換気ファンを設けた構成となっている（例えば、特許文献１参照。）。
【０００４】
前記空気調和機は、前記特許文献１の図２及び図３に示すように、室内ユニット本体内において、左側部にモータ基板と直流モータ（前記被制御部品に相当。）を備え、同直流モータに前記換気ファンを組み付けた換気ユニットが設けられ、右側下部に制御基板（前記制御部に相当。）を備えた電装品箱が設けられ、正面部と左側下底部にそれぞれ室温センサ、信号受信部が設けられており、前記制御基板と前記モータ基板がリード線で接続された構成となっている。また、説明が省略されているが、前記制御基板と前記室温センサ、前記制御基板と前記信号受信部にもそれぞれ、リード線で接続していると解される。
【０００５】
そして、前記空気調和機では、前記制御基板と前記モータ基板との間の前記リード線を介して前記制御基板から電源電圧供給と制御信号の送信を行い、同制御信号を前記モータ基板で受信し、前記直流モータが制御され、前記モータ基板から回転数信号を送信するようになっている。
【０００６】
また、前記制御基板と前記室温センサとの間のそれぞれの前記リード線を介して前記制御基板から電源電圧供給と前記室温センサの検出信号の送受信を行い、前記制御基板と前記信号受信部との間の前記リード線を介して前記制御基板から電源電圧供給と前記信号受信部のリモコン受信信号の送受信を行っている。
【０００７】
また、その他の従来の空気調和機では、室内ユニット本体内において、メインマイコンを実装した制御部（前記制御部に相当。）と風向偏向板を駆動するステッピングモータ（前記被制御部品に相当。）が設けられており、前記ステッピングモータを、液晶と液晶を駆動するドライバＩＣとを実装した基板を介して制御部にリード線で接続された構成となっている（例えば、特許文献２参照。）。
【０００８】
この空気調和機では、前記制御部と前記基板との間で電源電圧供給と制御信号の送信を行い、同制御信号を受けて前記ステッピングモータが制御されるようになっている。
【０００９】
【特許文献１】特開２００４−１１６９５１号公報（第３頁、第２図〜第３図）
【特許文献２】特開平１１−２１１２０１号公報（第３頁、第１図）
【発明の開示】
【発明が解決しようとする課題】
【００１０】
前記引用文献１による前記空気調和機によれば、前記室内ユニット本体内の前記モータ基板と前記制御基板が、左右側部にそれぞれあるため、前記リード線が長くなってしまい、同リード線のコストが掛かるとともに、前記リード線による抵抗（インピーダンス）の増加に伴い、前記直流モータの回転方向の切換や回転停止などを起因とする電圧変動による回生電流や、前記リード線の電流による電波雑音などの新たな障害を招くという問題点があった。
【００１１】
更に、前記引用文献１による前記空気調和機によれば、前記室内ユニット本体内の前記モータ基板、前記室温センサ及び前記信号受信部は前記制御基板からそれぞれの前記リード線により接続されているため、前記リード線のコストが掛かるとともに、前記リード線の取扱い及び組立性に影響を招くという問題点があった。
【００１２】
これらの問題点を解決するには、前記制御基板に新たな障害の対策部品を搭載することも考えられるが、前記リード線が長いほどあまり効果を得ることができない。
【００１３】
また、前記制御基板側に前記モータ基板を配置し、前記リード線の長さを短くすることも考えられるが、前記室内ファンと前記換気ファンユニットが右側部に集中するため、その配置スペースに限界が発生し、前記室内ユニットの外形を変更しないと収容することができない。
【００１４】
更に、前記制御基板側に前記室温センサ及び前記信号受信部を配置し、前記リード線のコストを抑えることも考えられるが、前述と同様に右側部に集中するため、その配置スペースに限界が発生し、前記室内ユニットの外形を変更しないと収容することができない。
【００１５】
また、前記リード線による抵抗を抑えるために同リード線を太くすることも考えられるが、前記リード線のコストが掛かってしまう。
【００１６】
従って、配置場所を変えない方法で前記リード線を太くすることなく同リード線の長さを短くし、前記直流モータの電圧変動による回生電流や前記リード線の電流による電波雑音などの障害を小さくすることが望まれていた。
【００１７】
同様にして、配置場所を変えない方法で前記リード線を太くすることなく同リード線の長さを短くし、前記制御基板からの前記リード線の本数を減らすことが望まれていた。
【００１８】
更に、前記引用文献２による前記空気調和機によれば、前記リード線の長さを短くすることができるが、前記メインマイコンと前記ドライバＩＣとをそれぞれ前記制御部と前記基板に実装しているため、前記メインマイコンと前記ドライバＩＣでの２箇所の演算による制御信号で前記液晶を駆動する構成であるから、熱などによって誤動作が起こり易く、また、前記液晶や前記ドライバＩＣを使用すると高価になってしまうという問題点があった。
【００１９】
従って、前記基板に前記ドライバＩＣを実装することなく、前記制御部の前記メインマイコンのみで制御できる方法により、熱などによる誤動作を受けず、シンプルで低価な表示部を採用することが望まれていた。
【００２０】
本発明は上記問題点に鑑み、空気調和機において、制御部と被制御部品との間のリード線の接続を簡素化するとともに、制御要素をシンプルにした構造を提供することを目的とする。
【課題を解決するための手段】
【００２１】
本発明は上記課題を解決するため、請求項１記載の発明は、本体の一側に設けられ、マイコンを実装した制御部と、他側に設けられ、前記制御部により制御される被制御部品と、中央に設けられ、前記制御部により制御されるＬＥＤを実装した表示基板とを備えた空気調和機において、前記制御部と前記表示基板がリード線によって接続され、前記表示基板に前記被制御部品をリード線によって接続したことを特徴とする構成となっている。
【００２２】
請求項２記載の発明は、本体の側部に設けられ、マイコンを実装した制御部と、中央に設けられ、前記制御部により制御されるＬＥＤを実装した表示基板と、前記表示基板の近傍に設けられ、前記制御部により制御される被制御部品とを備えた空気調和機において、
前記制御部と前記表示基板がリード線によって接続され、前記表示基板に前記被制御部品をリード線によって接続したことを特徴とする構成となっている。
【００２３】
請求項３記載の発明は請求項１または請求項２記載の発明において、前記被制御部品と前記表示基板の電源線及び接地線について、前記制御部から前記表示基板までをコモン配線としたことを特徴とする構成となっている。
【００２４】
請求項４記載の発明は請求項１乃至請求項３のいずれかに記載の発明において、前記被制御部品の駆動素子を、前記表示基板に配置したことを特徴とする構成となっている。
【００２５】
請求項５記載の発明は請求項１乃至請求項４のいずれかに記載の発明において、前記被制御部品が交流モータ又は直流モータであり、その回生電流を吸収する電子部品を前記表示基板に配置したことを特徴とする構成となっている。
【発明の効果】
【００２６】
請求項１または請求項２記載の発明によれば、前記制御部と前記表示基板がリード線によって接続され、前記表示基板に前記被制御部品をリード線によって接続したことにより、前記制御部に前記被制御部品をリード線によって接続するよりも、配置場所を変えない方法でリード線を太くすることなくリード線の長さを短くすることができ、リード線の取扱いを容易に組立性を向上することができ、前記制御部と前記被制御部品との間のリード線の接続を簡素化した構造を実現することができる。
【００２７】
更に、前記表示基板を液晶と液晶を駆動するドライバＩＣとを実装しないようにしたことにより、熱などによる誤動作の影響を受けずに済み、制御要素をシンプルにした構造を実現することができる。
【００２８】
請求項３記載の発明によれば、前記被制御部品と前記表示基板の電源線及び接地線について、前記制御部から前記表示基板までをコモン配線としたことにより、前記制御部から前記被制御部品に対するリード線の本数を電源線と接地線を減らすことができる。
【００２９】
請求項４記載の発明によれば、前記被制御部品の駆動素子を、前記表示基板に配置したことにより、前記被制御部品への電波雑音の障害を効果的に低減することができる。
【００３０】
請求項５記載の発明によれば、前記被制御部品が交流モータ又は直流モータであり、その回生電流を吸収する電子部品を前記表示基板に配置したことにより、前記交流モータ又は前記直流モータの電圧変動による回生電流の障害を効果的に小さくすることができる。
【発明を実施するための最良の形態】
【００３１】
以下、本発明の実施の形態を、添付図面に基づいた実施例として詳細に説明する。図１は本発明による空気調和機の第一実施例の外観を説明する分解斜視図、図２は図１の本発明による空気調和機の第一実施例の概略を説明するブロック図、図３は図２の本発明による空気調和機の第一実施例の概略斜視図、図４は本発明による空気調和機の第一実施例の換気ファン用モータを接続した電気ブロック図である。
【００３２】
図５は本発明による空気調和機の第二実施例及び第三実施例の外観を説明する分解斜視図、図６は図５の本発明による空気調和機の第二実施例及び第三実施例の概略を説明するブロック図、図７は本発明による空気調和機の第二実施例のフィルタ駆動用モータを接続した電気ブロック図、図８は本発明による空気調和機の第三実施例のスピーカを接続した電気ブロック図である。
【００３３】
そして、本発明による空気調和機は、本体の一側に設けられ、マイコンを実装した制御部と、他側に設けられ、前記制御部ににより制御される被制御部品と、中央に設けられ、前記制御部により制御されるＬＥＤを実装した表示基板とを備えた空気調和機において、前記制御部と前記表示基板がリード線によって接続され、前記表示基板に前記被制御部品をリード線によって接続したことを特徴としている。
【００３４】
また、本発明による空気調和機は、本体の側部に設けられ、マイコンを実装した制御部と、中央に設けられ、前記制御部により制御されるＬＥＤを実装した表示基板と、前記表示基板の近傍に設けられ、前記制御部により制御される被制御部品とを備えた空気調和機において、前記制御部と前記表示基板がリード線によって接続され、前記表示基板に前記被制御部品をリード線によって接続したことを特徴としている。更に、前記被制御部品と前記表示基板の電源線及び接地線について、前記制御部から前記表示基板までをコモン配線としたことを特徴としている。
【実施例１】
【００３５】
まず、前記被制御部品が換気ファン駆動用モータである場合の空気調和機について説明する。図１乃至図３に示すように、室内機の本体１には、その筺体を外すと、前記制御部２ａは空気調和機の右側部に配置された電装品箱２に収容され、マイコンを実装した制御基板と、この制御基板に接続されたコネクタ２ｃがそれぞれ設けられている。
【００３６】
前記被制御部品４ａは前記本体１の左側部に配置された換気ファンユニット４に収容され、前記制御部２ａの前記マイコンより制御される換気ファン駆動用モータ４ａを構成している。
【００３７】
前記表示基板３ａは前記制御部２ａと前記被制御部品４ａとの間にあって、前記本体１の前面中央部に配置された表示部３に支持され、前記マイコンと信号を授受するように、前記制御部２ａとリード線５によって接続されている。
【００３８】
そして、前記換気ファン駆動用モータ４ａは前記表示基板３ａにリード線５によって接続されている。
【００３９】
このように、前記換気ファン駆動用モータ４ａは、前記制御部２ａの前記マイコンの信号によって前記表示基板３ａと前記リード線５を介して制御される構成となっている。
【００４０】
また、図３に示すように、前記表示基板３ａはＬＥＤ３ｃを実装しており、前記ＬＥＤ３ｃは運転状態を表示するようになっている。この前記表示基板３ａが前記表示部３に支持され、前記換気ファン駆動用モータ４ａが前記表示基板３ａに前記リード線５によって接続されている。
【００４１】
なお、図１及び図３では、前記換気ファン駆動用モータ４ａは前記換気ファンユニット４内に吸気用及び排気用の２個の直流モータを設けたものであるが、吸気用のみ、排気用のみであってもよい。
【００４２】
次に、図４を用いて本発明に関係する各構成について詳細に説明する。前記制御部２ａは前記制御基板上に前記マイコン２ｂと前記コネクタ２ｃとを実装したもので、前記コネクタ２ｃには接地端子と直流電圧１２Ｖを供給するための電源端子と前記マイコン２ｂの各制御信号の信号端子とをそれぞれ備えている。
【００４３】
前記表示基板３ａは前記接地端子、前記電源端子及び前記信号端子に接続している前記リード線５が接続されるコネクタ３ｄと、前記換気ファン用モータ４ａの回生電流を吸収するコンデンサ３ｂとを実装したもので、前記コネクタ３ｄには前記コネクタ２ｃと同様な前記接地端子、前記電源端子及び前記信号端子を備えている。
【００４４】
そして、前記表示基板３ａでは、前記コネクタ３ｄの前記信号端子よりの制御信号の一部については、図３に示す前記ＬＥＤ３ｃや図示を省略したリモコンからの信号を受信するリモコン受信部などの制御信号として利用され、制御信号の残りの部分について、前記表示基板３ａの出力用の接続部側より前記リード線５を介して前記換気ファン用モータ４ａに接続されている。
【００４５】
また、前記換気ファン用モータ４ａと前記表示基板３ａの前記リード線５のうち、その電源線及び接地線について、前記制御部２ａから前記表示基板３ａまでをコモン配線とし、前記ＬＥＤ３ｃなどの前記電源線及び前記接地線と共用化している。なお、前記リード線５は接地線、電源線及び信号線から構成されているものである。
【００４６】
また、前記コンデンサ３ｂは、前記表示基板３ａの出力用の接続部側に近いほうに配置され、前記電源線と前記接地線に並列に接続されている。
【００４７】
このように、本実施例１によれば、前記換気ファン駆動用モータ４ａは、前記制御部２ａの前記マイコン２ｂの制御信号によって前記表示基板３ａと前記リード線５を介して制御される構成となる。
【００４８】
以上のことから、本実施例１によれば、前記制御部２ａに前記換気ファン駆動用モータ４ａを直接的に接続するよりも、前記換気ファン駆動用モータ４ａの配置場所を変えない方法で前記リード線５を太くすることなく前記リード線５の長さを短くすることができ、前記リード線５の取扱いを容易にして、組立性を向上することができ、前記制御部２ａと前記換気ファン駆動用モータ４ａとの間の前記リード線５の接続を簡素化した構造を実現することができる。
【００４９】
また、前記本体１の右側部に前記制御部２ａを、左側部に前記換気ファン駆動用モータ４ａをそれぞれ設けるとともに、前面中央部である前記制御部２ａと前記換気ファン駆動用モータ４ａとの中間に前記表示基板３ａを配置しているので、前記制御部２ａに前記換気ファン駆動用モータ４ａを直接的に接続するよりも、前記リード線５の長さを２分の１程度短くすることができ、前記リード線５のコストも２分の１程度に抑えることができる。
【００５０】
また、前記表示基板３ａを前記ＬＥＤ３ｃ実装しているので、液晶を駆動するドライバＩＣを必要とせず、熱などによる誤動作の影響を受けずに済み、制御要素をシンプルにした構造を実現することができる。
【００５１】
更に、前記換気ファン駆動用モータ４ａと前記表示基板３ａの電源線及び接地線について、前記制御部２ａから前記表示基板３ａまでをコモン配線としているので、前記制御部２ａから前記換気ファン駆動用モータ４ａに対する前記リード線５の本数を前記電源線と前記接地線の２本を減らすことができる。
【００５２】
なお、本出願人の従来の製品においては、前記表示基板３ａに実装された前記ＬＥＤ３ｃへの電源電圧は５Ｖとなっていたが、本発明では、前述のようにコモン配線とすることにより、前記換気ファン駆動用モータ４ａへの電源電圧１２Ｖと共通化を図って、前記ＬＥＤ３ｃへの電源電圧を１２Ｖとし、前記ＬＥＤ３ｃの発光レベルを下げるようにしている。
【００５３】
また、前記換気ファン駆動用モータ４ａが直流モータであり、その回生電流を吸収する前記コンデンサ３ｂを前記表示基板３ａに配置しているので、前記換気ファン駆動用モータ４ａの電圧変動による回生電流の障害を効果的に小さくすることができる。
【００５４】
そして、本実施例１のように、前記コンデンサ３ｂを前記表示基板３ａに実装された出力用の接続部側に配置した場合には、前記換気ファン駆動用モータ４ａと前記コンデンサ３ｂとの間隔をより近くにすることができ、前記換気ファン駆動用モータ４ａの電圧変動による回生電流の障害をより効果的に小さくすることができる。
【００５５】
なお、本実施例１においては、前記被制御部品４ａを直流モータからなる前記換気ファン用モータ４ａとし、前記直流モータの回生電流を吸収するために、前記表示基板３ａに前記コンデンサ３ｂを実装したが、本発明はこれに限るものではなく、前記被制御部品４ａを交流モータとした場合、また、前記コンデンサ３ｂに替えて大容量のダイオードを実装した場合も適用することができる。
【００５６】
例えば、前記被制御部品４ａを直流モータからなる前記換気ファン用モータ４ａとし、この回生電流を吸収するダイオードを実装したり、前記被制御部品４ａを交流モータからなる室内空気を循環させる室内ファン用モータとし、この回生電流を吸収するコンデンサまたはダイオードを実装した場合でもよい。
【実施例２】
【００５７】
次に、前記被制御部品がフィルタ駆動用モータである場合の空気調和機について説明する。図５乃至図７に示すように、室内機の本体６には、その筺体を外すと、前記制御部７ａは前記本体６の右側部に配置された電装品箱７に収容され、マイコン７ｂを実装した制御基板と、この制御基板に接続されたコネクタ７ｃがそれぞれ設けられている。
【００５８】
前記表示基板８ａは前記本体６の前面中央部に配置された表示部８に支持され、前記制御部７ａの前記マイコン７ｂと信号を授受するように、前記制御部７ａとリード線１２によって接続されている。
【００５９】
前記被制御部品１０ａは前記表示基板８ａの近傍、例えば、前記表示基板８ａの両側に配置されたフィルタ駆動ユニット１０に収容され、前記制御部７ａの前記マイコン７ｂより制御されるフィルタ駆動用モータ１０ａを構成している。
【００６０】
そして、前記フィルタ駆動用モータ１０ａはステッピングモータからなり、前記表示基板８ａに前記リード線１２によって接続されている。
【００６１】
また、前記フィルタ駆動ユニット１０に隣接して、フィルタの位置検出のためのリミットスイッチ１１が配置され、前記リミットスイッチ１１は前記表示基板８ａに前記リード線１２によって接続されている。
【００６２】
このように、前記フィルタ駆動用モータ１０ａは、前記制御部７ａの前記マイコン７ｂの信号によって前記表示基板８ａと前記リード線１２を介して制御される構成となっている。
【００６３】
また、図５及び図７に示すように、前記表示基板８ａはＬＥＤ８ｃを実装しており、前記ＬＥＤ８ｃは空気調和機の運転状態やフィルタ駆動状態などを表示するようになっている。この前記表示基板８ａが前記表示部８に支持され、前記フィルタ駆動用モータ１０ａが前記表示基板８ａに前記リード線１２によって接続されている。
【００６４】
なお、図５では、２個の前記フィルタ駆動用モータ１０ａを設け、前記フィルタ駆動用モータ１０ａに対応して２個の前記リミットスイッチ１１を設けた構成であるが、以下においては説明の便宜上、１個の前記フィルタ駆動用モータ１０ａを対象に説明する。
【００６５】
次に、図７を用いて本発明に関係する各構成について詳細に説明する。前記制御部７ａは前記制御基板上に前記マイコン７ｂと前記コネクタ７ｃとを実装したもので、前記コネクタ７ｃには接地端子と直流電圧１２Ｖを供給するための電源端子と前記マイコン７ｂの各制御信号の信号端子とをそれぞれ備えている。
【００６６】
前記表示基板８ａは前記接地端子、前記電源端子及び前記信号端子に接続している前記リード線１２が接続されるコネクタ８ｄと、前記フィルタ駆動用モータ１０ａの駆動素子であるモータドライバＩＣ８ｂとを実装したもので、前記コネクタ８ｄには前記コネクタ７ｃと同様な前記接地端子、前記電源端子及び前記信号端子を備えている。
【００６７】
そして、前記表示基板８ａでは、前記コネクタ８ｄの前記信号端子よりの制御信号の一部については、図５に示す前記ＬＥＤ８ｃや図示を省略したリモコンからの信号を受信するリモコン受信部などの制御信号として利用され、制御信号の残りの部分について、前記モータドライバＩＣ８ｂを介して、前記表示基板８ａの出力用の接続部側より前記リード線１２を通じ、前記フィルタ駆動用モータ１０ａに接続されている。
【００６８】
また、前記フィルタ駆動用モータ１０ａと前記表示基板８ａの前記リード線１２のうち、その電源線及び接地線について、前記制御部７ａから前記表示基板８ａまでをコモン配線とし、前記ＬＥＤ８ｃ、前記モータドライバＩＣ８ｂなどの前記電源線及び前記接地線と共用化している。なお、前記リード線１２は接地線、電源線及び信号線から構成されているものである。
【００６９】
また、前記モータドライバＩＣ８ｂは、前記表示基板８ａの出力用の接続部側に近いほうに配置され、前記フィルタ駆動用モータ１０ａへの電波雑音の障害を効果的に低減するようにしている。
【００７０】
このように、本実施例２によれば、前記フィルタ駆動用モータ１０ａは、前記制御部７ａの前記マイコン７ｂの制御信号によって前記表示基板８ａと前記リード線１２を介して制御される構成となる。
【００７１】
以上のことから、本実施例２によれば、前記制御部７ａに前記フィルタ駆動用モータ１０ａを直接的に接続するよりも、前記フィルタ駆動用モータ１０ａの配置場所を変えない方法で前記リード線１２を太くすることなく前記リード線１２の長さを短くすることができ、前記リード線１２の取扱いを容易にして、組立性を向上することができ、前記制御部７ａと前記フィルタ駆動用モータ１０ａとの間の前記リード線１２の接続を簡素化した構造を実現することができる。
【００７２】
また、前記本体６の右側部に前記制御部７ａを、前面中央部に前記表示基板８ａを、前記表示基板８ａの近傍に前記フィルタ駆動用モータ１０ａをそれぞれ配置しているので、前記制御部７ａに前記フィルタ駆動用モータ１０ａを直接的に接続するよりも、前記リード線１２の長さを３分の１程度短くすることができ、前記リード線１２のコストも３分の１程度に抑えることができる。
【００７３】
また、前記表示基板８ａに前記ＬＥＤ８ｃを実装しているので、前記実施例１と同様に、液晶を駆動するドライバＩＣを必要とせず、熱などによる誤動作の影響を受けずに済み、制御要素をシンプルにした構造を実現することができる。
【００７４】
更に、前記フィルタ駆動用モータ１０ａと前記表示基板８ａの電源線及び接地線について、前記制御部７ａから前記表示基板８ａまでをコモン配線としているので、前記制御部７ａから前記フィルタ駆動用モータ１０ａに対する前記リード線１２の本数を前記電源線と前記接地線の２本を減らすことができる。
【００７５】
なお、本出願人の従来の製品においては、前記表示基板８ａに実装された前記ＬＥＤ８ｃへの電源電圧は５Ｖとなっていたが、本発明では、前述のようにコモン配線とすることにより、前記フィルタ駆動用モータ１０ａ、前記モータドライバＩＣ８ｂへの電源電圧１２Ｖと共通化を図って、前記ＬＥＤ８ｃへの電源電圧を１２Ｖとし、前記ＬＥＤ８ｃの発光レベルを下げるようにしている。
【００７６】
そして、本実施例２においては、前記被制御部品１０ａをステッピングモータからなる前記フィルタ駆動用モータ１０ａとし、前記フィルタ駆動用モータ１０ａへの電波雑音の障害を効果的に低減するために、前記表示基板８ａの出力用の接続部側に近いほうに駆動素子である前記モータドライバＩＣ８ｂを実装したが、本発明はこれに限るものではなく、前記被制御部品１０ａを前記リミットスイッチ１１とした場合、また、運転状態などの音声案内を行うスピーカとし、このスピーカの駆動素子であるアンプを前記表示基板８ａに実装した場合も適用することができる。
【実施例３】
【００７７】
次に、前記被制御部品が前記スピーカである場合の空気調和機について説明する。前記実施例２で説明した図５及び図６に示す全体構成についてはここでは説明を省略し、前記スピーカに関係する部分のみを図５、図６及び図８を用いて説明することとし、説明の便宜上、前記実施例２で説明した前記フィルタ駆動用モータ１０ａや前記リミットスイッチ１１が表示基板８ｅに接続していない構成とする。
【００７８】
図５、図６及び図８に示すように、前記表示基板８ｅは前記本体６の前面中央部に配置された表示部８に支持され、前記制御部７ｄの前記マイコン７ｅと信号を授受するように、前記制御部７ｄとリード線１３によって接続されている。
【００７９】
前記スピーカ９は前記表示基板８ｅの近傍、例えば、前記表示基板８ｅの左隣に前記表示部８と一体にユニット化され、前記表示基板８ｅに前記リード線１３によって接続されている。
【００８０】
このように、前記スピーカ９は、前記制御部７ｄの前記マイコン７ｅの信号によって前記表示基板８ｅと前記リード線１３を介して制御される構成となっている。
【００８１】
次に、図８を用いて本発明に関係する各構成について詳細に説明する。前記制御部７ｄは前記制御基板上に前記マイコン７ｅと前記コネクタ７ｆとを実装したもので、前記コネクタ７ｆには接地端子と直流電圧１２Ｖを供給するための電源端子と前記マイコン７ｅの各制御信号と音声信号の信号端子とをそれぞれ備えている。
【００８２】
前記表示基板８ｅは前記接地端子、前記電源端子及び前記信号端子に接続している前記リード線１３が接続されるコネクタ８ｇと、前記スピーカ９の駆動素子であるアンプ８ｆとを実装したもので、前記コネクタ８ｇには前記コネクタ７ｆと同様な前記接地端子、前記電源端子及び前記信号端子を備えている。
【００８３】
そして、前記表示基板８ｅでは、前記コネクタ８ｇの前記信号端子よりの制御信号の一部については、図５に示す前記ＬＥＤ８ｃや図示を省略したリモコンからの信号を受信するリモコン受信部などの制御信号として利用され、音声信号の部分について、前記アンプ８ｆを介して、前記表示基板８ｅの出力用の接続部側より前記リード線１３を通じ、前記スピーカ９に接続されている。
【００８４】
また、前記スピーカ９と前記表示基板８ｅの前記リード線１３のうち、その電源線について、前記制御部７ｄから前記表示基板８ｅまでをコモン配線とし、前記ＬＥＤ８ｃと前記電源線を共用化している。なお、前記リード線１３は接地線、電源線及び信号線から構成されているものである。
【００８５】
また、前記アンプ８ｆは、前記表示基板８ｅの出力用の接続部側に近いほうに配置され、前記スピーカ９への電波雑音の障害を効果的に低減するようにしている。
【００８６】
このように、本実施例３によれば、前記スピーカ９は、前記制御部７ｄの前記マイコン７ｅよりの音声信号を、前記表示基板８ｅと前記リード線１３を介して出力する構成となる。
【００８７】
以上のことから、本実施例３によれば、前記制御部７ｄに前記スピーカ９を直接的に接続するよりも、前記スピーカ９の配置場所を変えない方法で前記リード線１３を太くすることなく前記リード線１３の長さを短くすることができ、前記リード線１３の取扱いを容易にして、組立性を向上することができ、前記制御部７ｄと前記スピーカ９との間の前記リード線１３の接続を簡素化した構造を実現することができる。
【００８８】
また、前記本体６の右側部に前記制御部７ｄを、前面中央部に前記表示基板８ｅを、前記表示基板８ｅの左隣の近傍に前記スピーカ９をそれぞれ配置しているので、前記制御部７ｄに前記スピーカ９を直接的に接続するよりも、前記リード線１３の長さを３分の１程度短くすることができ、前記リード線１３のコストも３分の１程度に抑えることができる。
【００８９】
また、前記表示基板８ｅに前記ＬＥＤ８ｃを実装しているので、前記実施例１、２と同様に、液晶を駆動するドライバＩＣを必要とせず、熱などによる誤動作の影響を受けずに済み、制御要素をシンプルにした構造を実現することができる。
【００９０】
更に、前記スピーカ９と前記表示基板８ｅの電源線について、前記制御部７ｄから前記表示基板８ｅまでをコモン配線としているので、前記制御部７ｄから前記スピーカ９に対する前記リード線１３の本数を前記電源線の１本を減らすことができる。
【００９１】
なお、前述と同様にコモン配線とすることにより、前記スピーカ９への電源電圧１２Ｖと共通化を図って、前記ＬＥＤ８ｃへの電源電圧を１２Ｖとし、前記ＬＥＤ８ｃの発光レベルを下げるようにしている。
【００９２】
以上説明してきた前記実施例１乃至前記実施例３では、前記制御部を前記本体の右側部に、前記被制御部品を左側部または前記表示基板の近傍にそれぞれ配置したが、本発明はこれに限るものでなく、前記制御部を前記本体の一側に、前記被制御部品を他側に配置した場合も適用することができる。また、前記表示基板を前記本体の前面中央部に配置したが、必ずしも中央部でなくてもよい。
【００９３】
また、以上説明してきた前記実施例１乃至前記実施例３では、前記表示部に前記表示基板を支持したものとしたが、本発明はこれに限るものでなく、検出ユニットの筺体に室温センサや湿度センサなどの検出素子を実装した検出基板を支持した場合も適用することができる。
【００９４】
従って、前記制御部と前記検出基板をリード線によって接続し、前記検出基板に前記被制御部品をリード線によって接続するようにしても、前記実施例１乃至前記実施例３と同様な効果を得ることができる。
【図面の簡単な説明】
【００９５】
【図１】本発明による空気調和機の第一実施例の外観を説明する分解斜視図である。
【図２】図１の本発明による空気調和機の第一実施例の概略を説明するブロック図である。
【図３】図２の本発明による空気調和機の第一実施例の概略斜視図である。
【図４】本発明による空気調和機の第一実施例の換気ファン用モータを接続した電気ブロック図である。
【図５】本発明による空気調和機の第二実施例及び第三実施例の外観を説明する分解斜視図である。
【図６】図５の本発明による空気調和機の第二実施例及び第三実施例の概略を説明するブロック図である。
【図７】本発明による空気調和機の第二実施例のフィルタ駆動用モータを接続した電気ブロック図である。
【図８】本発明による空気調和機の第三実施例のスピーカを接続した電気ブロック図である。
【符号の説明】
【００９６】
１本体
２  電装品箱
２ａ  制御部
２ｂ  マイコン
２ｃ  コネクタ
３  表示部
３ａ  表示基板
３ｂ  コンデンサ（回生電流を吸収する電子部品）
３ｃ  ＬＥＤ
３ｄ  コネクタ
４  換気ファンユニット
４ａ  換気ファン駆動用モータ（被制御部品）
５  リード線
６  本体
７  電装品箱
７ａ  制御部
７ｂ  マイコン
７ｃ  コネクタ
７ｄ  制御部
７ｅ  マイコン
７ｆ  コネクタ
８  表示部
８ａ  表示基板
８ｂ  モータドライバＩＣ（駆動素子）
８ｃ  ＬＥＤ
８ｄ  コネクタ
８ｅ  表示基板
８ｆ  アンプ（駆動素子）
８ｇ  コネクタ
９  スピーカ（被制御部品）
１０  フィルタ駆動ユニット
１０ａ  フィルタ駆動用モータ（被制御部品）
１１  リミットスイッチ
１２  リード線
１３  リード線
【図１】
2006194474.tif 000003
【図２】
2006194474.tif 000004
【図３】
2006194474.tif 000005
【図４】
2006194474.tif 000006
【図５】
2006194474.tif 000007
【図６】
2006194474.tif 000008
【図７】
2006194474.tif 000009
【図８】
2006194474.tif 000010